(57)【要約】【課題】  被記録体積載トレイの下部に存在する交換可能な部品等の交換作業をする際に、被記録体積載トレイ上の記録用紙を、一旦、別の場所へ移動するような煩わしい作業が必要でなくなり、併せて、被記録体積載トレイの下部に備えている部品等の交換作業の交換作業性も良く簡単に行うことが出来るようになる小型の被記録体積載トレイ、及び、その被記録体積載トレイを具備する画像形成装置を提供する。【解決手段】  画像形成装置の上方を覆うと共に記録画像が形成されて排出される被記録体（Ｐ）を積載するトレイ本体１と、このトレイ本体１のトレイ前部１ａとトレイ後部１ｂの間で山折れをする山折れ部２と、この山折れ部２で山折れ時にトレイ本体１を回動可能にする回動部３とからなる。【選択図】        図１
2005161560.tif 000002
【特許請求の範囲】
【請求項１】
画像形成装置の上方を開閉可能に覆う開閉カバーを兼用すると共に記録画像が形成されて排出される被記録体を積載する被記録体積載トレイにおいて、画像形成装置の上方を覆うと共に記録画像が形成されて排出される被記録体を積載するトレイ本体と、上記トレイ本体のトレイ前部とトレイ後部の間で山折れをする山折れ部と、上記山折れ部で山折れ時に上記トレイ本体を回動可能にする回動部とからなることを特徴とする被記録体積載トレイ。
【請求項２】
請求項１に記載の被記録体積載トレイにおいて、トレイ本体は、被記録体の排出方向下流側、又は、上流側の上面が低くなる傾斜面とからなることを特徴とする被記録体積載トレイ。
【請求項３】
請求項１又は２に記載の被記録体積載トレイにおいて、トレイ本体は、開閉する際に使用する取手を有することを特徴とする被記録体積載トレイ。
【請求項４】
請求項３に記載の被記録体積載トレイにおいて、取手は、トレイ本体の上面より下方に突出した凹形状部とからなることを特徴とする被記録体積載トレイ。
【請求項５】
請求項４に記載の被記録体積載トレイにおいて、凹形状部は、開口部とからなることを特徴とする被記録体積載トレイ。
【請求項６】
請求項４又は５に記載の被記録体積載トレイにおいて、凹形状部の幅は、記録画像が形成されて排出される被記録体の幅より広いことを特徴とする被記録体積載トレイ。
【請求項７】
請求項４、５又は６に記載の被記録体積載トレイにおいて、山折れ部から凹形状部の底部までの距離は、被記録体の排出方向長さの半分以上の長さであることを特徴とする被記録体積載トレイ。
【請求項８】
請求項３に記載の被記録体積載トレイにおいて、取手は、トレイ本体の上面に形成したブリッジ形状部とからなることを特徴とする被記録体積載トレイ。
【請求項９】
請求項８に記載の被記録体積載トレイにおいて、山折れ部からブリッジ形状部の山折れ部側の端部までの距離は、被記録体の排出方向長さの半分以上の長さであることを特徴とする被記録体積載トレイ。
【請求項１０】
請求項３に記載の被記録体積載トレイにおいて、取手は、トレイ本体の上面に形成した横穴形状部とからなることを特徴とする被記録体積載トレイ。
【請求項１１】
請求項１０に記載の被記録体積載トレイにおいて、山折れ部から横穴形状部の山折れ部側の端部までの距離は、被記録体の排出方向長さの半分以上の長さであることを特徴とする被記録体積載トレイ。
【請求項１２】
請求項１乃至１１の何れか一項に記載の被記録体積載トレイにおいて、山折れ部は、蝶番からなることを特徴とする被記録体積載トレイ。
【請求項１３】
記録画像が形成された被記録体を装置本体の上方に排出して積載するようにして記録画像を形成する画像形成装置において、記録画像を形成する画像形成部と、上記画像形成部で記録画像が形成された被記録体が排出されて積載される上記請求項１乃至１２の何れか一項に記載の被記録体積載トレイを具備することを特徴とする画像形成装置。
【請求項１４】
請求項１３に記載の画像形成装置において、被記録体積載トレイにおけるトレイ本体のトレイ前部、又は、トレイ後部を載置するトレイ本体載置部を有することを特徴とする画像形成装置。
【請求項１５】
請求項１３又は１４に記載の画像形成装置において、被記録体積載トレイの回動部をトレイ本体が回動可能に保持する回動保持部を有することを特徴とする画像形成装置。
【請求項１６】
請求項１３、１４又は１５に記載の画像形成装置において、画像形成部は、電子写真方法で被記録体上にトナー画像を形成することを特徴とする画像形成装置。
【請求項１７】
請求項１６に記載の画像形成装置において、被記録体積載トレイは、着脱可能に配置されたトナー容器の上方に備えたことを特徴とする画像形成装置。
【発明の詳細な説明】
【技術分野】
【０００１】
本発明は、被記録体積載トレイ及びその被記録体積載トレイを具備する画像形成装置に関し、詳しくは、画像形成装置の上方を開閉可能に覆う開閉カバーでありかつ記録画像が形成されて排出される被記録体を積載する被記録体積載トレイであり、更にその被記録体積載トレイを具備して記録画像が形成された被記録体を装置本体の上方に排出し積載するようにして記録画像を形成する複写機、ファクシミリ装置、プリンタあるいはこれらの複合機等の画像形成装置に関する。
【背景技術】
【０００２】
従来の被記録体積載トレイ及びその被記録体積載トレイを具備する画像形成装置においては、例えば、近年の、印刷機、インクジェットプリンタ等や、特に、高速度で高品質のトナー画像の記録画像を形成する電子写真方式の画像形成装置本体の小型化により、画像形成装置本体の上方を覆いかつ記録画像が形成されて排出される記録用紙を積載する排出部の排出トレイは公知である（特許文献１、特許文献２等を参照）。
そして、開閉可能な排出トレイの下部に、交換可能なトナーボトルやトナーを封入した容器体等の部品、ユニット、サプライ等を備える構成が増加している（特許文献３、特許文献４、特許文献５、特許文献６、特許文献７、特許文献８等を参照）。
更に、このような装置上面を開閉可能とした上面カバーの排出トレイを、開放時に折り曲げることも公知である（特許文献９等を参照）。
記録画像が形成されて排出される記録用紙を積載する排出部の排出トレイは、記録画像が定着された被記録媒体の転写用紙を積載するためのものであり、普通紙において、５００枚程度の積載が可能であることが一般的である。
画像形成装置が画像形成中、即ち、記録画像を形成する作業中に、開閉可能な排出トレイの下部に備えている部品、ユニット、サプライ等の、例えば、交換可能なトナーボトルやトナーを封入した容器体内のトナーが無くなってしまった場合に、装置本体はトナーが無くなった旨を表示、音等でユーザーに警告表示して、その画像形成装置の画像形成動作を中断、又は、停止するようになっている。
この際、ユーザーは、交換可能な部品、ユニット、サプライ等の、例えば、トナーボトルやトナーを封入した容器体を、新品の交換可能なトナーボトルやトナーを封入した容器体に交換するが、この時、排出トレイの下部に存在するトナーボトルやトナーを封入した容器体等を交換する際、排出トレイ上に積載された記録画像が形成されて排出される被記録体の記録用紙を、一旦、別の場所へ移動しなければならない煩わしい作業が発生して、併せて、排出トレイの下部に備えている交換可能な部品、ユニット、サプライ等の、例えば、交換可能なトナーボトルやトナーを封入した容器体等の交換作業の作業性が非常に悪いものであった。
従って、従来の被記録体積載トレイ、及び、その被記録体積載トレイを具備する画像形成装置においては、記録画像が形成されて排出される被記録体を積載する被記録体積載トレイの下部に存在する交換可能なトナーボトルやトナーを封入した容器体等の部品、ユニット、サプライ等の交換作業をする際に、被記録体積載トレイ上に積載された記録画像が形成されて排出される被記録体の記録用紙を、一旦、別の場所へ移動しなければならない煩わしい作業が発生するだけでなく、併せて、被記録体積載トレイの下部に備えている、例えば、交換可能なトナーボトルやトナーを封入した容器体等の部品、ユニット、サプライ等の交換作業の作業性も非常に悪くなると言う不具合が生じていた。
【特許文献１】特開２０００−２７５９２１公報
【特許文献２】特開平８−６３４１号公報
【特許文献３】特開平４−３１８８７５号公報
【特許文献４】特公平５−６０１００号公報
【特許文献５】特開平１０−６３１５１号公報
【特許文献６】特開平１１−１９４６８１号公報
【特許文献７】特許第３０６１７５３号
【特許文献８】特許第３１０１２７５号
【特許文献９】特開平１０−１１５９６１号公報
【発明の開示】
【発明が解決しようとする課題】
【０００３】
従来の被記録体積載トレイ及びその被記録体積載トレイを具備する画像形成装置においては、記録画像が形成されて排出される被記録体を積載する被記録体積載トレイの下部に存在する交換可能なトナーボトルやトナーを封入した容器体等の部品、ユニット、サプライ等の交換作業をする際に、被記録体積載トレイ上に積載されたトナー画像が形成されて排出される被記録体の記録用紙を、一旦、別の場所へ移動しなければならない煩わしい作業が発生するだけでなく、併せて、被記録体積載トレイの下部に備えている、例えば、交換可能なトナーボトルやトナーを封入した容器体等の部品、ユニット、サプライ等の交換作業の作業性も非常に悪くなると言う問題が発生していた。
そこで本発明の課題は、このような問題点を解決するものである。即ち、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も良く簡単に行うことが出来るようになる小型の被記録体積載トレイ及びその被記録体積載トレイを具備する画像形成装置を提供することを目的とする。
【課題を解決するための手段】
【０００４】
上記目的を達成するために、請求項１に記載の本発明は、画像形成装置の上方を開閉可能に覆う開閉カバーを兼用すると共に記録画像が形成されて排出される被記録体を積載する被記録体積載トレイにおいて、画像形成装置の上方を覆うと共に記録画像が形成されて排出される被記録体を積載するトレイ本体と、上記トレイ本体のトレイ前部とトレイ後部の間で山折れをする山折れ部と、上記山折れ部で山折れ時に上記トレイ本体を回動可能にする回動部とからなる被記録体積載トレイであることを最も主要な特徴とする。
又は、請求項２に記載の本発明は、請求項１に記載の被記録体積載トレイにおいて、トレイ本体は、被記録体の排出方向下流側、又は、上流側の上面が低くなる傾斜面とからなる被記録体積載トレイであることを主要な特徴とする。
又は、請求項３に記載の本発明は、請求項１又は２に記載の被記録体積載トレイにおいて、トレイ本体は、開閉する際に使用する取手を有する被記録体積載トレイであることを主要な特徴とする。
又は、請求項４に記載の本発明は、請求項３に記載の被記録体積載トレイにおいて、取手は、トレイ本体の上面より下方に突出した凹形状部とからなる被記録体積載トレイであることを主要な特徴とする。
又は、請求項５に記載の本発明は、請求項４に記載の被記録体積載トレイにおいて、凹形状部は、開口部とからなる被記録体積載トレイであることを主要な特徴とする。
【０００５】
又は、請求項６に記載の本発明は、請求項４又は５に記載の被記録体積載トレイにおいて、凹形状部の幅は、記録画像が形成されて排出される被記録体の幅より広い被記録体積載トレイであることを主要な特徴とする。
又は、請求項７に記載の本発明は、請求項４、５又は６に記載の被記録体積載トレイにおいて、山折れ部から凹形状部の底部までの距離は、被記録体の排出方向長さの半分以上の長さである被記録体積載トレイであることを主要な特徴とする。
又は、請求項８に記載の本発明は、請求項３に記載の被記録体積載トレイにおいて、取手は、トレイ本体の上面に形成したブリッジ形状部とからなる被記録体積載トレイであることを主要な特徴とする。
又は、請求項９に記載の本発明は、請求項８に記載の被記録体積載トレイにおいて、山折れ部からブリッジ形状部の山折れ部側の端部までの距離は、被記録体の排出方向長さの半分以上の長さである被記録体積載トレイであることを主要な特徴とする。
又は、請求項１０に記載の本発明は、請求項３に記載の被記録体積載トレイにおいて、取手は、トレイ本体の上面に形成した横穴形状部とからなる被記録体積載トレイであることを主要な特徴とする。
【０００６】
又は、請求項１１に記載の本発明は、請求項１０に記載の被記録体積載トレイにおいて、山折れ部から横穴形状部の山折れ部側の端部までの距離は、被記録体の排出方向長さの半分以上の長さである被記録体積載トレイであることを主要な特徴とする。
又は、請求項１２に記載の本発明は、請求項１乃至１１の何れか一項に記載の被記録体積載トレイにおいて、山折れ部は、蝶番からなる被記録体積載トレイであることを主要な特徴とする。
又は、請求項１３に記載の本発明は、記録画像が形成された被記録体を装置本体の上方に排出して積載するようにして記録画像を形成する画像形成装置において、記録画像を形成する画像形成部と、上記画像形成部で記録画像が形成された被記録体が排出されて積載される上記請求項１乃至１２の何れか一項に記載の被記録体積載トレイを具備する画像形成装置であることを最も主要な特徴とする。
又は、請求項１４に記載の本発明は、請求項１３に記載の画像形成装置において、被記録体積載トレイにおけるトレイ本体のトレイ前部、又は、トレイ後部を載置するトレイ本体載置部を有する画像形成装置であることを主要な特徴とする。
又は、請求項１５に記載の本発明は、請求項１３又は１４に記載の画像形成装置において、被記録体積載トレイの回動部をトレイ本体が回動可能に保持する回動保持部を有する画像形成装置であることを主要な特徴とする。
又は、請求項１６に記載の本発明は、請求項１３、１４又は１５に記載の画像形成装置において、画像形成部は、電子写真方法で被記録体上にトナー画像を形成する画像形成装置であることを主要な特徴とする。
又は、請求項１７に記載の本発明は、請求項１６に記載の画像形成装置において、被記録体積載トレイは、着脱可能に配置されたトナー容器の上方に備えた画像形成装置であることを主要な特徴とする。
【発明の効果】
【０００７】
本発明は、以下に説明するように構成されているので、請求項１の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も良く簡単に行うことが出来るようになる小型の被記録体積載トレイを提供することが出来るようになった。
請求項２の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、記録画像が形成されて排出される被記録体がまとまってよりきれいに積載され、被記録体積載トレイの下部に備えている部品、ユニット、サプライ等の交換作業の交換作業性も良く簡単に行うことが出来るようになる小型の被記録体積載トレイを提供することが出来るようになった。
請求項３の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手でトレイ本体の開閉が容易となり、積載する被記録体の滑り止めが出来て、被記録体積載トレイの下部に備えている部品、ユニット、サプライ等の交換作業の交換作業性も良く簡単に行うことが出来るようになる小型の被記録体積載トレイを提供することが出来るようになった。
【０００８】
請求項４の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手の凹形状部でトレイ本体の開閉が容易となり、積載する被記録体の記録用紙の滑り止めが出来て、被記録体積載トレイの下部に備えている部品、ユニット、サプライ等の交換作業の交換作業性も良く簡単に行うことが出来るようになる小型の被記録体積載トレイを提供することが出来るようになった。
請求項５の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手の凹形状部と開口部でトレイ本体の開閉が容易となり、積載する被記録体の滑り止めが出来て、被記録体積載トレイの下部に備えている部品、ユニット、サプライ等の交換作業の交換作業性も良く簡単に行うことが出来るようになる小型の被記録体積載トレイを提供することが出来るようになった。
請求項６の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手の凹形状部でトレイ本体の開閉が容易となり、記録画像が形成されて排出されて積載する被記録体の滑り止めが出来て、記録画像が形成されて排出される被記録体が一層きれいに積載され、被記録体積載トレイの下部に備えている部品、ユニット、サプライ等の交換作業の交換作業性も良く簡単に行うことが出来るようになる小型の被記録体積載トレイを提供することが出来るようになった。
【０００９】
請求項７の発明によれば、記録画像が形成されて排出される被記録体の記録用紙を積載する被記録体積載トレイの下部に存在する交換可能な部品、ユニット、サプライ等の交換作業をする際に、被記録体積載トレイ上に積載された記録画像が形成されて排出される被記録体の記録用紙を、一旦、別の場所へ移動するような煩わしい作業が必要でなくなり、併せて、取手の凹形状部でトレイ本体の開閉が容易となり、記録画像が形成されて排出されて積載する被記録体の滑り止めが出来て、トレイ本体を山折れ状態にしたときに記録画像が形成されて排出されて積載する被記録体の剛性の小さい薄紙等に対しても余裕を持って安定して収まり、被記録体積載トレイの下部に備えている部品、ユニット、サプライ等の交換作業の交換作業性も良く簡単に行うことが出来るようになる小型の被記録体積載トレイを提供することが出来るようになった。
請求項８の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手のブリッジ形状部でトレイ本体の開閉が容易となり、記録画像が形成されて排出されて積載する被記録体の滑り止めが出来て、被記録体積載トレイの下部に備えている部品、ユニット、サプライ等の交換作業の交換作業性も良く簡単に行うことが出来るようになる小型の被記録体積載トレイを提供することが出来るようになった。
【００１０】
請求項９の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手のブリッジ形状部でトレイ本体の開閉が容易となり、記録画像が形成されて排出されて積載する被記録体の滑り止めが出来て、トレイ本体を山折れ状態にしたときに記録画像が形成されて排出されて積載する被記録体の剛性の小さい薄紙等に対しても余裕を持って安定して収まり、被記録体積載トレイの下部に備えている部品、ユニット、サプライ等の交換作業の交換作業性も良く簡単に行うことが出来るようになる小型の被記録体積載トレイを提供することが出来るようになった。
請求項１０の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手の横穴形状部でトレイ本体の開閉が容易となり、記録画像が形成されて排出されて積載する被記録体の滑り止めが出来て、被記録体積載トレイの下部に備えている部品、ユニット、サプライ等の交換作業の交換作業性も良く簡単に行うことが出来るようになる小型の被記録体積載トレイを提供することが出来るようになった。
請求項１１の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、取手の横穴形状部でトレイ本体の開閉が容易となり、記録画像が形成されて排出されて積載する被記録体の滑り止めが出来て、トレイ本体を山折れ状態にしたときに記録画像が形成されて排出されて積載する被記録体の剛性の小さい薄紙等に対しても余裕を持って安定して収まり、被記録体積載トレイの下部に備えている部品、ユニット、サプライ等の交換作業の交換作業性も良く簡単に行うことが出来るようになる小型の被記録体積載トレイを提供することが出来るようになった。
【００１１】
請求項１２の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、耐久性に優れ、被記録体積載トレイの下部に備えている部品、ユニット、サプライ等の交換作業の交換作業性も、更に、良く簡単に行うことが出来るようになる小型の被記録体積載トレイを提供することが出来るようになった。
請求項１３の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も良く簡単に行うことが出来るようになる小型の被記録体積載トレイを具備する画像形成装置を提供することが出来るようになった。
請求項１４の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も確実で良く簡単に行うことが出来るようになる小型の被記録体積載トレイを具備する画像形成装置を提供することが出来るようになった。
【００１２】
請求項１５の発明によれば、記録画像が形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も、更に、良く簡単に行うことが出来るようになる小型の被記録体積載トレイを具備する画像形成装置を提供することが出来るようになった。
請求項１６の発明によれば、記録画像が電子写真方法で形成されて排出される被記録体を積載する被記録体積載トレイの下部に存在する交換可能な部品、ユニット、サプライ等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えている部品、ユニット、サプライ等の交換作業の交換作業性も良く簡単に行うことが出来るようになる小型の被記録体積載トレイを具備する画像形成装置を提供することが出来るようになった。
請求項１７の発明によれば、記録画像が電子写真方法で形成されて排出される被記録体を積載する被記録体積載トレイの下部に存在する交換可能なトナー容器等の交換作業をする際に、被記録体積載トレイ上に積載された記録画像が形成されて排出される被記録体を、一旦、別の場所へ移動するような煩わしい作業が必要でなくなり、併せて、被記録体積載トレイの下部に備えているトナー容器等の交換作業の交換作業性も良く簡単に行うことが出来るようになる小型の被記録体積載トレイを具備する画像形成装置を提供することが出来るようになった。
【発明を実施するための最良の形態】
【００１３】
次に、本発明の実施の形態は、図面を参照して詳細に説明する。
図１乃至図３において、画像形成装置５０の上方を開閉可能に覆う開閉カバーを兼用すると、共に、記録画像が形成されて排出される被記録体（Ｐ）の記録用紙を積載する被記録体積載トレイ０は、上記画像形成装置５０の画像形成部５１の上方を覆うと共に記録画像が形成されて排出される被記録体（Ｐ）の記録用紙を積載するトレイ本体１と、上記トレイ本体１のトレイ前部１ａとトレイ後部１ｂの間で図示の矢印（Ａ）方向に山折れをする山折れ部２の耐久性に優れ交換作業性も良い蝶番２ａと、上記山折れ部２の耐久性に優れ交換作業性も良い上記蝶番２ａで図示の矢印（Ａ）方向に山折れ時に上記トレイ本体１を図示の矢印（Ｂ）方向に回動可能にする回動部３とからなり、記録画像が形成されて排出される被記録体（Ｐ）の記録用紙を積載する上記被記録体積載トレイ０の下部に存在する交換可能な部品、ユニット、サプライ等の交換作業をする際に、上記被記録体積載トレイ０上に積載された記録画像が形成されて排出される被記録体（Ｐ）の記録用紙を、一旦、別の場所へ移動するような煩わしい作業が必要でなくなり、併せて、被記録体積載トレイ０の下部に備えている部品、ユニット、サプライ等の交換作業の交換作業性も良く、簡単に行うことが出来るようになり小型でもある。
上記トレイ本体１の上記トレイ前部１ａの記録画像が形成されて排出される被記録体（Ｐ）の記録用紙の排出方向の図示の矢印（Ｃ）方向の上流側に上面１ｃが低くなる傾斜面１ｄが設けられ、上記傾斜面１ｄにトレイ本体１を開閉する際に使用する取手４である上記トレイ本体１の上記トレイ前部１ａの上記上面１ｃより下方に突出した凹形状部４ａを有するから、上記トレイ本体１の上記トレイ前部１ａと上記トレイ後部１ｂの間で図示の矢印（Ａ）方向に山折れをする作業が容易となり、その際における上記トレイ本体１の上記トレイ前部１ａに積載された記録画像が形成されて排出される被記録体（Ｐ）の記録用紙の滑り止めとなり、記録画像が形成されて排出される被記録体（Ｐ）の記録用紙が図示の矢印（Ｃ）方向の上流側にまとまって、よりきれいに積載され、簡単な構成で、煩わしい作業が必要でなくなり、併せて、上記被記録体積載トレイ０の下部に備えている部品、ユニット、サプライ等の交換作業の交換作業性も、更に、良く、簡単に、確実に行うことが出来る上記被記録体積載トレイ０を提供することが出来るようになった。
【００１４】
記録画像が形成された被記録体（Ｐ）の記録用紙を装置本体の上方に排出して積載するようにして記録画像を形成する上記画像形成装置５０は、記録画像を形成する上記画像形成部５１と、上記画像形成部５１で記録画像が形成された被記録体（Ｐ）が排出されて積載される上記請求項１乃至１２の何れか一項に記載の上記被記録体積載トレイ０を具備するから、記録画像が形成されて排出される被記録体（Ｐ）の記録用紙を積載する上記被記録体積載トレイ０の下部に存在する交換可能な部品、ユニット、サプライ等の交換作業をする際に、上記被記録体積載トレイ０上に積載された記録画像が形成されて排出される被記録体（Ｐ）の記録用紙を、一旦、別の場所へ移動するような煩わしい作業が必要でなくなり、併せて、上記被記録体積載トレイ０の下部に備えている部品、ユニット、サプライ等の交換作業の交換作業性も良く、簡単に行うことが出来るようになり小型である。
上記トレイ本体１の上記トレイ後部１ｂの記録画像が形成されて排出される被記録体（Ｐ）の記録用紙の排出方向の図示の矢印（Ｃ）方向の最下流端に設けられた上記回動部３が、上記画像形成装置５０の本体フレーム５０ｃに固定された回動保持部５０ｂによって、上記トレイ本体１が図示の矢印（Ｂ）方向に回動可能に保持されているから、煩わしい作業が必要でなくなり、併せて、被記録体積載トレイ０の下部に備えている部品、ユニット、サプライ等の交換作業の交換作業性も、更に、良く、簡単に行うことが出来る上記画像形成装置５０を提供することが出来るようになった。
上記画像形成装置５０の上記本体フレーム５０ｃに固定されたトレイ本体載置部５０ａは、上記被記録体積載トレイ０における上記トレイ本体１の上記トレイ前部１ａ、又は、上記トレイ後部１ｂを、記録画像が形成された被記録体（Ｐ）の記録用紙の排出時、上記トレイ本体１の上記トレイ前部１ａと上記トレイ後部１ｂの間で図示の矢印（Ａ）方向に山折れ時に載置するようになっているから、煩わしい作業が必要でなくなり、併せて、被記録体積載トレイ０の下部に備えている部品、ユニット、サプライ等の交換作業の交換作業性も確実で良く、簡単に行うことが出来る上記画像形成装置５０を提供することが出来るようになった。
【００１５】
上記画像形成装置５０は、上記画像形成部５１を電子写真方式のカラー画像形成装置にすることで、高速度で高品質のトナー画像の形成が可能である。
上記画像形成装置５０のカラー画像形成装置は、転写手段５１ｅ（図２参照）の中間転写ベルト５１ｅ１１を有する一次転写手段５１ｅ１と４つのイエロー画像ステーション５１（Ｙ）、シアン画像ステーション５１（Ｃ）、マゼンタ画像ステーション５１（Ｍ）、ブラック画像ステーション５１（Ｂｋ）が配置され、各上記イエロー画像ステーション５１（Ｙ）、上記シアン画像ステーション５１（Ｃ）、上記マゼンタ画像ステーション５１（Ｍ）、上記ブラック画像ステーション５１（Ｂｋ）には、像担持体５１ａのドラム形状の感光体ドラムとしてイエロー像担持体５１ａ（Ｙ）のドラム形状の感光体ドラム、シアン像担持体５１ａ（Ｃ）のドラム形状の感光体ドラム、マゼンタ像担持体５１ａ（Ｍ）のドラム形状の感光体ドラム、ブラック像担持体５１ａ（Ｂｋ）のドラム形状の感光体ドラムをそれぞれ有し、その回りには専用の帯電手段５１ｂのイエロー帯電手段５１ｂ（Ｙ）、シアン帯電手段５１ｂ（Ｃ）、マゼンタ帯電手段５１ｂ（Ｍ）、ブラック帯電手段５１ｂ（Ｂｋ）、現像手段５１ｄのイエロー現像手段５１ｄ（Ｙ）、シアン現像手段５１ｄ（Ｃ）、マゼンタ現像手段５１ｄ（Ｍ）、ブラック現像手段５１ｄ（Ｂｋ）、クリーニング手段５１ｇのイエロークリーニング手段５１ｇ（Ｙ）、シアンクリーニング手段５１ｇ（Ｃ）、マゼンタクリーニング手段５１ｇ（Ｍ）、ブラッククリーニング手段５１ｇ（Ｂｋ）を有している。
上記被記録体積載トレイ０の下方に配置されたトナー容器５１ｄ１の各イエロートナー容器５１ｄ１（Ｙ）、シアントナー容器５１ｄ１（Ｃ）、マゼンタトナー容器５１ｄ１（Ｍ）、ブラックトナー容器５１ｄ１（Ｂｋ）は、交換作業性も良く簡単に行うことが出来るトナーを補給するトナーボトルであり、図中左からイエロー（Ｙ）、シアン（Ｃ）、マゼンタ（Ｍ）、ブラック（Ｂｋ）の各トナーが充填されており、ここから図示しない搬送経路によって、所定の補給量だけ各色の上記現像手段５１ｄの各上記イエロー現像手段５１ｄ（Ｙ）、上記シアン現像手段５１ｄ（Ｃ）、上記マゼンタ現像手段５１ｄ（Ｍ）、上記ブラック現像手段５１ｄ（Ｂｋ）に補給される。
【００１６】
被記録体（Ｐ）の記録用紙が、被記録体供給装置５２の給紙カセットより給紙ローラ５２ａでフィードされ、被記録体（Ｐ）の記録用紙の先端がレジストローラ対５２ｂまで到達すると図示しないセンサによって検知され、この検出信号でタイミングを取りながら、上記レジストローラ対５２ｂによって被記録体（Ｐ）の記録用紙を上記転写手段５１ｅの二次転写手段５１ｅ２の二次転写ローラと上記中間転写ベルト５１ｅ１１のニップ部に搬送される。
予め、上記帯電手段５１ｂの上記イエロー帯電手段５１ｂ（Ｙ）、上記シアン帯電手段５１ｂ（Ｃ）、上記マゼンタ帯電手段５１ｂ（Ｍ）、上記ブラック帯電手段５１ｂ（Ｂｋ）によって一様に帯電された上記像担持体５１ａのドラム形状の感光体ドラムの各上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラムは、潜像形成手段５１ｃの光書込み装置によりレーザー光にて露光走査され、上記像担持体５１ａのドラム形状の感光体ドラムとして上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラム上に静電潜像が作られる。
上記像担持体５１ａのドラム形状の感光体ドラムの各上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラム上に形成された静電潜像は、上記現像手段５１ｄのそれぞれの上記各色のイエロー現像手段５１ｄ（Ｙ）、上記シアン現像手段５１ｄ（Ｃ）、上記マゼンタ現像手段５１ｄ（Ｍ）、上記ブラック現像手段５１ｄ（Ｂｋ）により現像され、上記像担持体５１ａのドラム形状の感光体ドラムの各上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラムの表面に各色のイエロー（Ｙ）、シアン（Ｃ）、マゼンタ（Ｍ）、ブラック（Ｂｋ）のトナー画像が形成される。
【００１７】
次に、上記転写手段５１ｅの上記一次転写手段５１ｅ１の１次転写ローラの各イエロー一次転写手段５１ｅ１（Ｙ）の１次転写ローラ、シアン一次転写手段５１ｅ１（Ｃ）の１次転写ローラ、マゼンタ一次転写手段５１ｅ１（Ｍ）の１次転写ローラ、ブラック一次転写手段５１ｅ１（Ｂｋ）の１次転写ローラに電圧が印加され、上記像担持体５１ａのドラム形状の感光体ドラムの各上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラム上のトナーが、上記中間転写ベルト５１ｅ１１上に順次転写されていく。
この時、各色の作像動作は、そのトナー像が上記中間転写ベルト５１ｅ１１の同じ位置に重ねて転写されるように、上流側から下流側に向けてタイミングをずらして実行される。
上記中間転写ベルト５１ｅ１１上に形成されたトナー画像は、上記転写手段５１ｅの上記二次転写手段５１ｅ２の二次転写ローラの位置まで搬送され、被記録体（Ｐ）の記録用紙に二次転写されて記録画像が記録される。
そして、各色のイエロー（Ｙ）、シアン（Ｃ）、マゼンタ（Ｍ）、ブラック（Ｂｋ）のトナー画像が転写されて記録された被記録体（Ｐ）の記録用紙は、定着装手段５１ｆに搬送されて熱定着され、排出ローラ５１ｈで排出されて、上記被記録体積載トレイ０に積載されるようになっている。
尚、上記像担持体５１ａのドラム形状の感光体ドラムの各上記イエロー像担持体５１ａ（Ｙ）のドラム形状の感光体ドラム、上記シアン像担持体５１ａ（Ｃ）のドラム形状の感光体ドラム、上記マゼンタ像担持体５１ａ（Ｍ）のドラム形状の感光体ドラム、上記ブラック像担持体５１ａ（Ｂｋ）のドラム形状の感光体ドラム上の残留トナーは、上記クリーニング手段５１ｇの各上記イエロークリーニング手段５１ｇ（Ｙ）、上記シアンクリーニング手段５１ｇ（Ｃ）、上記マゼンタクリーニング手段５１ｇ（Ｍ）、上記ブラッククリーニング手段５１ｇ（Ｂｋ）でクリーニングされ、その後、直流に交流成分のバイアスが重畳印加された上記帯電手段５１ｂの各上記イエロー帯電手段５１ｂ（Ｙ）、上記シアン帯電手段５１ｂ（Ｃ）、上記マゼンタ帯電手段５１ｂ（Ｍ）、上記ブラック帯電手段５１ｂ（Ｂｋ）によって除電と同時に帯電され、次の作像に備えられる。
又、上記中間転写ベルト５１ｅ１１上の残留トナーは、中間転写ベルトクリーニングユニット５１ｅ１２によってクリーニングされ、次の作像工程に備える。
【００１８】
図４は、上記画像形成装置５０のカラー画像形成装置における、４つの上記イエロー画像ステーション５１（Ｙ）、上記シアン画像ステーション５１（Ｃ）、上記マゼンタ画像ステーション５１（Ｍ）、上記ブラック画像ステーション５１（Ｂｋ）の一つを拡大したものである。
上記現像手段５１ｄは、開口部を有する現像ケース５１ｄ２、上記像担持体５１ａのドラム形状の感光体ドラムの表面に近接対向するように配置された現像ローラ５１ｄ３、上記現像ローラ５１ｄ３上の現像剤を一定の高さに規制する現像ブレード５１ｄ４、上記現像ローラ５１ｄ３と対向する位置に配置される第１搬送スクリュ５１ｄ５と第２搬送スクリュ５１ｄ６等により構成されている。
又、上記クリーニング手段５１ｇは、開口部を有するクリーニングケース５１ｇ１、上記像担持体５１ａのドラム形状の感光体ドラム上の残留トナーをクリーニングする為のクリーニングブレード５１ｇ２、クリーニングした廃トナーを図示しない廃トナーボトルに搬送する為の廃トナースクリュ５１ｇ３等により構成されている。
又、上記転写手段５１ｅの上記一次転写手段５１ｅ１は、上記中間転写ベルト５１ｅ１１、上記像担持体５１ａのドラム形状の感光体ドラム上のトナー像を上記中間転写ベルト５１ｅ１１に転写する為の１次転写ローラ５１ｅ１３、それらの部品を保持する中間転写ベルトケース５１ｅ１４等にて構成されている。
上記帯電手段５１ｂは、帯電ローラ５１ｂ１、上記帯電ローラ５１ｂ１をクリーニングするクリーニングローラ５１ｂ２からなる。
尚、Ｌは、上記潜像形成手段５１ｃの光書込み装置からのレーザー光を示す。
【００１９】
図５と図６において、上記被記録体積載トレイ０は、上記トレイ本体１を図示の（Ｄ）−（Ｅ）部にて、前後に上記山折れ部２を形成可能なように中間を上記蝶番２ａで結合した上記トレイ前部１ａと上記トレイ後部１ｂとで構成し、上記トレイ後部１ｂの後端側の上記回動部３を本上記画像形成装置５０の上記本体フレーム５０ｃに固定された上記回動保持部５０ｂに回転自在に軸着され、上記本体フレーム５０ｃに固定された上記トレイ本体載置部５０ａに載置されるようになっている。
上記被記録体積載トレイ０は、上記取手４の上記凹形状部４ａを持ち上げて図示の矢印（Ｆ）方向に移動するだけで、上記トレイ本体１を図示の（Ｄ）−（Ｅ）部にて、上記トレイ前部１ａと上記トレイ後部１ｂとを山折り状態にしたときに、上記トナー容器（Ｙ、Ｃ、Ｍ、Ｂｋ）５１ｄ１のトナーボトル、又は、トナーを封入した容器体が簡単に交換することが出来る。
図７において、上記被記録体積載トレイ０の開閉ための上記取手４の上記凹形状部４ａが、上記トレイ本体１の上記トレイ前部１ａの前部に形成してある。
上記取手４の上記凹形状部４ａは、上記トレイ本体１の上記トレイ前部１ａの上記上面１ｃより下方に突出する凹部で形成され、指を差し入れるための開口部４ａ１となっている。
上記被記録体積載トレイ０の上記トレイ本体１を図示のように山折り状態にしたときに、上記取手４の上記凹形状部４ａの凹の底部４ａ２が、記録画像が形成されて排出されて積載される被記録体（Ｐ）の記録用紙の滑り止めとなり、上記トレイ本体１を元に戻したときにも、記録画像が形成されて排出されて積載される被記録体（Ｐ）の記録用紙は、上記トナー容器（Ｙ、Ｃ、Ｍ、Ｂｋ）５１ｄ１のトナーボトル、又は、トナーを封入した容器体を交換前の状態に戻ることが出来る。
【００２０】
図８乃至図１０において、上記取手４は、更に、図８に図示するように、上記トレイ本体１の上記トレイ前部１ａの上記上面１ｃにブリッジ形状部４ｂを設けても良い。
上記取手４は、更に、図９に図示するように、上記トレイ本体１の上記トレイ前部１ａの上記上面１ｃに横穴形状部４ｃを設けても良い。
図１０に図示するように、上記被記録体積載トレイ０の上記トレイ本体１を図示のように山折り状態にしたときに、上記取手４の上記ブリッジ形状部４ｂ、又は、上記横穴形状部４ｃが、記録画像が形成されて排出されて積載される被記録体（Ｐ）の記録用紙の滑り止めとなる。
上記横穴形状部４ｃのポケット４ｃ２の横幅（Ｔ）を被記録体（Ｐ）の記録用紙の横幅より広くすれば、上記被記録体積載トレイ０の上記トレイ本体１を図示のように山折り状態にしたときに、上記ポケット４ｃ２の最深部が被記録体（Ｐ）の記録用紙の滑りとめとなって、積載された被記録体（Ｐ）の記録用紙は、より安定した状態となり、上記トレイ本体１を元に戻したときにも、記録画像が形成されて排出されて積載される被記録体（Ｐ）の記録用紙は、上記トナー容器（Ｙ、Ｃ、Ｍ、Ｂｋ）５１ｄ１のトナーボトル、又は、トナーを封入した容器体を交換前の状態に戻ることが出来る。
図１１と図１２において、上記被記録体積載トレイ０の上記トレイ本体１の上記トレイ前部１ａの上記上面１ｃより下方に突出して形成された上記取手４の上記凹形状部４ａの幅（Ｔ）を、記録画像が形成されて排出されて積載される被記録体（Ｐ）の記録用紙の幅よりも広い構成となっている。
これによって、上記凹形状部４ａの上記開口部４ａ１に、記録画像が形成されて排出されて積載される被記録体（Ｐ）の記録用紙の一端が入り込み、一層きれいに積載することが出来る。
上記被記録体積載トレイ０の上記トレイ本体１の上記トレイ前部１ａの最も上記山折れ部２に近い位置から上記凹形状部４ａに入った記録画像が形成されて排出されて積載される被記録体（Ｐ）の記録用紙の上記底部４ａ２まで（図１２を参照）、又は、上記被記録体積載トレイ０の上記トレイ本体１の上記トレイ前部１ａの最も上記山折れ部２に近い位置から上記ブリッジ形状部４ｂの端部４ｂ（図８を参照）１、又は、上記被記録体積載トレイ０の上記トレイ本体１の上記トレイ前部１ａの最も上記山折れ部２に近い位置から上記横穴形状部４ｃの上記ポケット４ｃ２に入った記録画像が形成されて排出されて積載される被記録体（Ｐ）の記録用紙の最下点の端部４ｃ１まで（図１０を参照）の距離（ｙ）を、記録画像が形成されて排出されて積載される被記録体（Ｐ）の記録用紙の排紙方向長さの半分以上になるような構成にすれば、上記トレイ本体１を山折れ状態にしたとき、剛性の小さい薄紙等に対しても余裕を持って、安定した収まりとなることが出来る。
【００２１】
上記画像形成装置５０は、上記被記録体積載トレイ０の上記トレイ本体１を上記山折れ部２の上記蝶番２ａ等で山折り状態にすることによって、上記トナー容器（Ｙ、Ｃ、Ｍ、Ｂｋ）５１ｄ１のトナーボトル、又は、トナーを封入した容器体を着脱可能であり、ユーザーが上記トナー容器（Ｙ、Ｃ、Ｍ、Ｂｋ）５１ｄ１のトナーボトル、又は、トナーを封入した容器体を交換する際に、既に、上記被記録体積載トレイ０の上記トレイ本体１上に積載された被記録媒体（Ｐ）の記録用紙を手にとって他の場所に置き変える煩わしが必要で無くなり、操作性に優れたものである。
この場合、ユーザーが上記トナー容器（Ｙ、Ｃ、Ｍ、Ｂｋ）５１ｄ１のトナーボトル、又は、トナーを封入した容器体を交換するために取り外す際に、上記被記録体積載トレイ０の上記トレイ本体１を上記山折れ部２の上記蝶番２ａ等で山折り状態にすれば、既に、上記トレイ本体１上に積載された被記録媒体（Ｐ）の記録用紙を手にとって他の場所に置き変える必要がなく、上記トレイ本体１の上記トレイ前部１ａに積載された被記録媒体（Ｐ）の記録用紙は落下せずに収まる。
この時、上記トナー容器（Ｙ、Ｃ、Ｍ、Ｂｋ）５１ｄ１のトナーボトル、又は、トナーを封入した容器体を交換後、山折りされた上記トレイ本体１を元に戻せば、記録画像が形成されて排出されて積載される被記録体（Ｐ）の記録用紙は、上記トナー容器（Ｙ、Ｃ、Ｍ、Ｂｋ）５１ｄ１のトナーボトル、又は、トナーを封入した容器体の交換前の状態に戻る。
従って、記録画像が電子写真方法で形成されて排出される被記録体（Ｐ）の記録用紙を積載する上記被記録体積載トレイ０の下部に存在する交換可能な部品、ユニット、サプライ、上記トナー容器５１ｄ１等の交換作業をする際に、上記被記録体積載トレイ０上に積載された記録画像が形成されて排出される被記録体（Ｐ）の記録用紙を、一旦、別の場所へ移動するような煩わしい作業が必要でなくなり、併せて、上記被記録体積載トレイ０の下部に備えている部品、ユニット、サプライ、上記トナー容器５１ｄ１等の交換作業の交換作業性も良く簡単に行うことが出来るようになる小型の上記被記録体積載トレイ０を具備する上記画像形成装置５０を提供することが出来るようになった。
【図面の簡単な説明】
【００２２】
【図１】本発明の実施の形態例を示す被記録体積載トレイ、及び、その被記録体積載トレイを具備する画像形成装置を説明する斜視図。
【図２】本発明の実施の形態例を示す被記録体積載トレイ、及び、その被記録体積載トレイを具備する画像形成装置を説明する拡大断面図。
【図３】本発明の実施の形態例を示す被記録体積載トレイ、及び、その被記録体積載トレイを具備する画像形成装置の主要部の状態を説明する拡大断面図。
【図４】本発明の実施の形態例を示す被記録体積載トレイを具備する画像形成装置の他の主要部を説明する断面図。
【図５】本発明の実施の形態例を示す被記録体積載トレイ、及び、その被記録体積載トレイを具備する画像形成装置の他の主要部を説明する説明図。
【図６】本発明の実施の形態例を示す被記録体積載トレイ、及び、その被記録体積載トレイを具備する画像形成装置の他の主要部を説明する斜視図。
【図７】本発明の実施の形態例を示す被記録体積載トレイ、及び、その被記録体積載トレイを具備する画像形成装置の他の主要部を説明する斜視図。
【図８】本発明の他の実施の形態例を示す被記録体積載トレイ、及び、その被記録体積載トレイを具備する画像形成装置を説明する斜視図。
【図９】本発明の他の実施の形態例を示す被記録体積載トレイ、及び、その被記録体積載トレイを具備する画像形成装置を説明する斜視図。
【図１０】本発明の他の実施の形態例を示す被記録体積載トレイ、及び、その被記録体積載トレイを具備する画像形成装置の主要部を説明する説明図。
【図１１】本発明の実施の形態例を示す被記録体積載トレイ、及び、その被記録体積載トレイを具備する画像形成装置の他の主要部を説明する斜視図。
【図１２】本発明の実施の形態例を示す被記録体積載トレイ、及び、その被記録体積載トレイを具備する画像形成装置の他の主要部を説明する説明図。
【符号の説明】
【００２３】
０  被記録体積載トレイ
１  トレイ本体、
１ａ  トレイ前部、
１ｂ  トレイ後部、
１ｃ  上面、
１ｄ  傾斜面
２  山折れ部、
２ａ  蝶番
３  回動部
４  取手、
４ａ  凹形状部、
４ａ１    開口部、
４ａ２    底部、
４ｂ  ブリッジ  形状部、
４ｂ１    端部、
４ｃ  横穴形状部、
４ｃ１    端部、
４ｃ２    ポケット
５０  画像形成装置、
５０ａ  トレイ本体載置部、
５０ｂ  回動保持部、
５０ｃ  本体フレーム
５１  画像形成部、
５１（Ｙ）    イエロー画像ステーション、
５１（Ｃ）    シアン画像ステーション、
５１（Ｍ）    マゼンタ画像ステーション、
５１（Ｂｋ）  ブラックマゼンタ画像ステーション、
５１ａ  像担持体（Ｙ、Ｃ、Ｍ、Ｂｋ）、
５１ｂ  帯電手段（Ｙ、Ｃ、Ｍ、Ｂｋ）、
５１ｂ１    帯電ローラ、
５１ｂ２    クリーニングローラ、
５１ｃ  潜像形成手段、
５１ｄ  現像手段（Ｙ、Ｃ、Ｍ、Ｂｋ）、
５１ｄ１    トナー容器（Ｙ、Ｃ、Ｍ、Ｂｋ）、
５１ｄ２    現像ケース、
５１ｄ３    現像ローラ、
５１ｄ４    現像ブレード、
５１ｄ５    第１搬送スクリュ、
５１ｄ６    第２搬送スクリュ、
５１ｅ  転写手段、
５１ｅ１    一次転写手段（Ｙ、Ｃ、Ｍ、Ｂｋ）、
５１ｅ１１  中間転写ベルト、
５１ｅ１２  中間転写ベルトクリーニングユニット、
５１ｅ１３  １次転写ローラ、
５１ｅ１４  中間転写ベルトケース、
５１ｅ２    二次転写手段、
５１ｆ  定着手段、
５１ｇ  クリーニング手段（Ｙ、Ｃ、Ｍ、Ｂｋ）、
５１ｇ１    クリーニングケース、
５１ｇ２    クリーニングブレード、
５１ｇ３    廃トナースクリュ、
５１ｈ  排出ローラ
５２  被記録体供給装置、
５２ａ  給紙ローラ、
５２ｂ  レジストローラ対
【図１】
2005161560.tif 000003
【図２】
2005161560.tif 000004
【図３】
2005161560.tif 000005
【図４】
2005161560.tif 000006
【図５】
2005161560.tif 000007
【図６】
2005161560.tif 000008
【図７】
2005161560.tif 000009
【図８】
2005161560.tif 000010
【図９】
2005161560.tif 000011
【図１０】
2005161560.tif 000012
【図１１】
2005161560.tif 000013
【図１２】
2005161560.tif 000014